(57)【要約】      （修正有）【課題】湿気を通気空間等に導くことが可能な通気路を有する水切り及びこれを用いた建物外壁の通気構造を提供すること。【解決手段】水切り１１は、建物外壁１の通気空間７内において室内側壁部材５に板面の一面側が取り付けられる上板部１１ａと、前記上板部１１ａの下端に水切りのために連設された板部（傾斜板部11b、下板部１１ｃ）を備えている。上板部１１ａは板面の一面側から板面の他面側に通気可能な通気路（透湿用孔１２、通気路）を有する。建物外壁の通気構造においては、建物外壁１の室内側壁部材５とその外側の室外側壁部材４との間に下端が室外側壁部材４の下方の通気口６を介して大気に連通する通気空間７を形成することにより、建物の室内空間（居室２）から室内側壁部材５を介して通気空間７内に透過する湿気が通気口６を介して大気に導かれるようにしている。また、通気空間７の下端部内に室内側部材５に接して水切り１１が配設されている。【選択図】  図１
2006249779.tif 000002
【特許請求の範囲】
【請求項１】
建物外壁の通気空間内において室内側壁部材に板面の一面側が取り付けられる上板部と、前記上板部の下端に水切りのために連設された水切り用板部を備え、前記上板部は板面の一面側から他面側に通気可能な通気路を有することを特徴とする水切り。
【請求項２】
請求項１に記載の水切りにおいて、前記上板部には複数の透湿用孔が前記通気路として形成されていることを特徴とする水切り。
【請求項３】
請求項１に記載の水切りにおいて、前記上板部には前記室内側壁部材に当接して前記室内側壁部材との間に前記通気路を形成する複数の数の突部が形成されていることを特徴とする水切り。
【請求項４】
建物外壁の室内側壁部材とその外側の室外側壁部材との間に下端が前記室外側壁部材の下方の通気口を介して大気に連通する通気空間を形成することにより、前記建物の室内空間から前記室内側壁部材を介して前記通気空間内に透過する湿気が前記通気口を介して大気に導かれると共に、前記通気空間の下端部内に前記室内側部材に接して請求項１〜３のいずれか一つに記載の水切りが配設されていることを特徴とする建物外壁の通気構造。
【発明の詳細な説明】
【技術分野】
【０００１】
この発明は、建物の外壁に設けられる通気空間の大気への通気口の部分に取り付けられる水切り及びこれを用いた建物外壁の通気構造に関するものである。
【背景技術】
【０００２】
従来から建物には、建物の外壁を室内側壁部材とその外側の室外側壁部材とから構成すると共に、室内側壁部材と室外側壁部材との間に室外側壁部材の下方の通気口から大気に連通する通気空間を形成した建物外壁の通気構造が知られている。
【０００３】
このような建物の外壁には、通気空間内に防水シートが配設されていると共に、前記通気空間の下端部内に水切り板が配設されているのが普通である。また、防水シートは室内側壁部材に取り付けられたものが知られている（例えば、特許文献１参照）。尚、水切り板は、室内側壁部材と室外側壁部材の一方又は両方に取り付けられることが考えられる。
【０００４】
また、室外側壁部材は室内側壁部材の間柱等に金属製のブラケット及び固定金具等を介して固定されるようにした壁部材の取付構造も知られている（例えば、特許文献１参照）。
【特許文献１】実開昭６１−１７７１４５号公報
【発明の開示】
【発明が解決しようとする課題】
【０００５】
しかしながら、この壁部材の取付構造では、ブラケット及び固定金具が室内側壁部材に密着しているので、外気温度が非常に低い場合にはブラケット及び固定金具に結露して、カビの発生等の原因になり好ましいものではなかった。
【０００６】
このような問題は、水切り板を室外側壁部材の内面に密着するように取り付けた場合も、外気温度が非常に低い場合には水切り板に結露が発生し、好ましいものではない。この問題が生じないようにするために、水切り板を室内側壁部材に密着して取り付けることも考えられる。しかし、この場合、室内側壁部材の水切り板が密着している部分においては、室内側からの湿気が通気空間に導かれず、好ましいものではなかった。
【０００７】
そこで、この発明の第１の目的は、湿気を通気空間等に導くことが可能な通気路を有する水切りを提供することにある。
【０００８】
また、この発明の第２の目的は、水切り板に結露が発生せず、且つ、水切り板の部分においても室内側からの湿気を通気空間内に確実に導くことができる建物外壁の通気構造を提供することを目的とするものである。
【課題を解決するための手段】
【０００９】
第１の目的を達成するため、請求項１の発明の水切りは、建物外壁の通気空間内において室内側壁部材に板面の一面側が取り付けられる上板部と、前記上板部の下端に水切りのために連設された水切り用板部を備え、前記上板部は板面の一面側から他面側に通気可能な通気路を有することを特徴とする。
【００１０】
また、請求項２の発明は、請求項１に記載の水切りにおいて、前記上板部には複数の透湿用孔が前記通気路として形成されていることを特徴とする。
【００１１】
更に、請求項３の発明は、請求項１に記載の水切りにおいて、前記上板部には前記室内側壁部材に当接して前記室内側壁部材との間に前記通気路を形成する複数の数の突部が形成されていることを特徴とする。
【００１２】
また、第２の目的を達成するため、請求項４の発明は、建物外壁の室内側壁部材とその外側の室外側壁部材との間に下端が前記室外側壁部材の下方の通気口を介して大気に連通する通気空間を形成することにより、前記建物の室内空間から前記室内側壁部材を介して前記通気空間内に透過する湿気が前記通気口を介して大気に導かれると共に、前記通気空間の下端部内に前記室内側部材に接して請求項１〜３のいずれか一つに記載の水切りが配設されている建物外壁の通気構造としたことを特徴とする。
【発明の効果】
【００１３】
このような請求項１の発明によれば、室内側空間の湿気が室内側壁部材を水切り側に透過しても、この湿気を上板部の板面の一面側から他面側に通気路を介して通気空間に導いて、この通気空間に導かれた湿気を大気に排気することができるので、水切りに結露するのが防止される。
【００１４】
また、請求項２の発明によれば、上板部に透湿用孔が成されているので、室内空間室から内側壁部材を介して水切り側に透過する湿気が水切りでせき止められることなく透湿用孔を介して通気空間側に導かれ、この透湿用孔から通気空間に導かれた湿気が通気空間を介して大気に排気され、水切りに結露するのが防止される。
【００１５】
更に、請求項３の発明によれば、上板部には室内側壁部材に当接して室内側部材との間に通気路を形成しているので、室内空間から室内側壁部材を介して水切り側に透過する湿気が水切りでせき止められることなく通気路を介して通気空間に導かれ、この通気路から通気空間に導かれた湿気が通気空間を介して大気に排気され、水切りに結露するのが防止される。
【００１６】
また、請求項４の発明によれば、前記水切りが前記通気空間内の結露しない位置に配設されているので、水切りに結露が発生せず、且つ、室内空間から前記室内側壁部材を介して前記水切り側に透過する湿気を前記通気空間側に導く通気路が前記水切り又は前記水切りと前記室内側部材との間に形成されるので、水切りの部分においても室内側からの湿気を通気空間に確実に導いて通気口から大気に排気することができ、水切りに結露するのが防止される。
【発明を実施するための最良の形態】
【００１７】
以下、この発明の実施の形態を図面に基づいて説明する。
【００１８】
図１において、１は住宅等における建物（全体図示略）の建物外壁、２は建物の居室（室内空間）、３は建物の外側空間（外気）である。この建物外壁１は、室内側壁部材４とその外側の室外側壁部材５を有する。
【００１９】
そして、この室内側壁部材４と室外側壁部材５との間には、下端が室外側壁部材５の下方の通気口６を介して大気に連通する通気空間７が形成されている。これにより、建物（全体図示略）の居室２から室内側壁部材４を介して通気空間７内に透過する湿気が通気口６を介して大気に導かれるようになっている。
【００２０】
また、室内側壁部材４は、通気空間７側の外装下地材（外装下地板）８と、居室２側の内装材（内装板）９と、外装下地材８と内装材９との間に介装された断熱材１０を有する。しかも、例えば、外装下地材８には合板等が用いられ、内装材９には石膏ボード等が用
いられ、断熱材１０にはグラスウール等が用いられている。
【００２１】
また、通気空間７の下端部内には水切り板（水切り）１１が配設されている。この水切り板１１は、通気空間７内に配設され且つ外装下地材８に図示しない木ねじ等の固定手段で固定された上板部１１ａと、上板部１１ａの下端に通気口６に向けて下方に傾斜するように連設された傾斜板部１１ｂと、傾斜板部１１ｂの下端から下方に向けて連設された下板部１１ｃを有する。
【００２２】
この下板部１１ｃは、室外側壁部材５との間に通気口６を形成する下側の室外側壁部材４ａの外側に沿うように下方に向けて配設されている。しかも、上板部１１ａには、図１，図２に示したように、複数又は多数の透湿用孔１２が全体にわたって縦横に整列して形成されている。
【００２３】
更に、通気空間７内には透湿防水シート１３が配設されている。この防水シート１３は、外装下地材８の通気空間７側の面に添着固定されていると共に、下端部が水切り板１１の上板部１１ａの通気空間７側の面に密着させられている。
【００２４】
次に、このような構成の建物外壁１の通気作用を説明する。
【００２５】
このような構成において、透湿防湿シート１３は湿気を透過させるが水滴は透過させないので、水切り板１１のない部分（水切り板１１より上側の部分）においては居室２内の湿気が室内側壁部材５及び透湿防湿シート１３を介して通気空間７側に透過することになる。
【００２６】
また、水切り板１１のある内部分においては、居室２内から室内側壁部材５を透過した湿気は水切り板１１の複数の透湿用孔１２及び透湿防湿シート１３を介して通気空間７側に移動透過することになる。
【００２７】
そして、通気空間７に移動した湿気は通気口６を介して大気に排出されることになる。
【００２８】
尚、室外側壁部材４の外表面が冷たい外気により冷却されても、水切り板１１の上板部１１ａは外装下地材８と透湿防湿シート１３の下端部との間に密着するように介装されているので、水切り板１１の上板部１１ａの外表面に結露するようなことはない。
（変形例）
以上説明した実施例では、水切り板１１の上板部１１ａに湿気透過用の透湿用孔１２を複数設けた例を示したが、必ずしもこれに限定されるものではない。
【００２９】
例えば、図１，図２のように水切り板１１の上板部１１ａに上述した透湿用孔１２を設ける代わりに、図４（ａ），図４（ｂ）に示したように室内側壁部材５側に突出して室内側壁部材５の外装下地材８に当接する突部１４を図５に示したように縦横に複数設けた構成としても良い（図６参照）。
【００３０】
この構成では、図４（ｂ），図６に示したように上板部１１ａと外装下地材８との間には複数の突部１４によって通気路（通湿路）１５が縦横に形成されている。尚、実質的に通気路（通湿路）１５は、上板部１１ａの複数の突部１４間に形成されている。従って、この変形例では、水切り板１１のある内部分において、居室２内から室内側壁部材５を透過した湿気は水切り板１１と外装下地材８との間に形成される通気路１５を介して上方に移動させられる。そして、上方に移動させられた湿気は、透湿防湿シート１３を介して通気空間７側に移動透過することになる。
【００３１】
尚、他の構成及び作用は図１〜図３に示した実施例と同じであるので、図１〜図３に示した実施例と同じ部分には同じ符号を付してその説明を省略する。
【００３２】
以上説明したように、この発明の実施の形態の水切り（水切り板１１）は、建物外壁１の通気空間７の室内側壁部材５に板面の一面側が取り付けられる上板部１１ａと、前記上板部１１ａの下端に水切りのために連設された板部（傾斜板部１１ｂ、下板部１１ｃ）を備え、前記上板部１１ａは板面の一面側（室内側壁部材５側）から他面側に通気可能な通気路（透湿用孔１２、通気路１５）を有する。
【００３３】
この構成によれば、室内側空間の湿気が室内側壁部材５を水切り（水切り板１１）側に透過しても、この湿気を上板部１１ａの板面の一面側から他面側に通気路（透湿用孔１２、通気路１５）を介して通気空間７に導いて、この通気空間７に導かれた湿気を大気に排気することができるので、水切り（水切り板１１）に結露するのが防止される。
【００３４】
また、この発明の実施の形態の水切り（水切り板１１）において、前記上板部１１ａには複数の透湿用孔１２が前記通気路として形成されている。
【００３５】
この構成によれば、上板部１１ａに透湿用孔１２が成されているので、室内空間（居室２）から建物外壁１の室内側壁部材５を介して水切り（水切り板１１）側に透過する湿気が水切り（水切り板１１）でせき止められることなく透湿用孔１２を介して通気空間７に導かれ、この透湿用孔１２から通気空間７に導かれた湿気が大気に排気され、水切り（水切り板１１）に結露するのが防止される。
【００３６】
更に、この発明の実施の形態の水切り（水切り板１１）において、前記上板部１１ａには前記室内側壁部材５に当接して前記室内側壁部材５との間に前記通気路１５を形成する複数の数の突部１４が形成されている。
【００３７】
この構成によれば、水切り（水切り板１１）には室内側壁部材５に当接して室内側壁部材５との間に通気路１５を形成しているので、室内空間（居室２）から室内側壁部材５を介して水切り（水切り板１１）側に透過する湿気が水切り（水切り板１１）でせき止められることなく通気路１５を介して通気空間７に導かれ、この通気路１５から通気空間７に導かれた湿気が大気に排気され、水切り（水切り板１１）に結露するのが防止される。
【００３８】
また、この発明の実施の形態の建物外壁の通気構造においては、建物外壁１の室内側壁部材５とその外側の室外側壁部材４との間に下端が前記室外側壁部材の５下方の通気口６を介して大気に連通する通気空間７を形成することにより、前記建物の室内空間（居室２）から前記室内側壁部材５を介して前記通気空間７内に透過する湿気が前記通気口６を介して大気に導かれるようにしている。また、前記通気空間７の下端部内に前記室内側部材５に接して上述した水切り（水切り板１１）が配設されている。
【００３９】
この構成によれば、前記水切り（水切り板１１）が前記通気空間７内の結露しない位置に配設されているので、水切り（水切り板１１）に結露が発生せず、且つ、室内空間（居室２）から前記室内側壁部材５を介して前記水切り（水切り板１１）側に透過する湿気を前記通気空間７側に導く通気路（透湿用孔１２又は通気路１５）が前記水切り（水切り板１１）又は前記水切り（水切り板１１）と前記室内側部材５との間に形成されるので、水切り（水切り板１１）の部分においても室内側からの湿気を通気空間７に確実に導いて通気口６から大気に排気でき、水切り（水切り板１１）に結露するのが防止される。
【００４０】
以上、図面を参照して、本発明の実施の形態を詳述してきたが、具体的な構成は、この実施の形態に限らず、本発明の要旨を逸脱しない程度の設計的変更は、本発明に含まれる
。
【図面の簡単な説明】
【００４１】
【図１】この発明に係る建物外壁の通気構造の要部断面図である。
【図２】図１に示した水切り（水切り板）の斜視図である。
【図３】図１に示した建物外壁の通気構造の概略説明図である。
【図４】（ａ）はこの発明に係る建物外壁の通気構造の要部断面図、（ｂ）は（ａ）のＡ−Ａ線に沿う断面図である。
【図５】図４に示した水切り（水切り板）の斜視図である。
【図６】図４に示した建物外壁の通気構造の概略説明図である。
【符号の説明】
【００４２】
１…建物外壁
２…居室（室内空間）
４…室外側壁部材
５…室内側壁部材
６…通気口
７…通気空間
１１…水切り板（水切り）
１２…透湿用孔（通気路）
１３…防水シート
１４…突部
１５…通気路
【図１】
2006249779.tif 000003
【図２】
2006249779.tif 000004
【図３】
2006249779.tif 000005
【図４】
2006249779.tif 000006
【図５】
2006249779.tif 000007
【図６】
2006249779.tif 000008